(57)【要約】【課題】部品点数が少なく２つの検出対象の位置を検出することができる磁気式検出装置を提供する。【解決手段】磁気式位置検出装置は、第１の位置と第２の位置との間を変位する第１の磁石１１と、第３の位置と第４の位置との間を変位する第２の磁石２１と、第１の磁石と第２の磁石との間に設けられ磁界の向きに応じた信号を出力するセンサチップ５と、を備えている。センサチップ５において、第１の位置に位置する第１の磁石１１、第２の位置に位置する第１の磁石１１、第３の位置に位置する第２の磁石２１、及び第４の位置に位置する第２の磁石２１がそれぞれ形成する磁界の向きが全て異なるようにする。【選択図】図２
2015052556.tif 000002
【特許請求の範囲】
【請求項１】
第１の位置と前記第１の位置と異なる第２の位置との間を変位する第１の磁石と、
前記第１及び第２の位置と異なる第３の位置と前記第１〜第３のいずれの位置とも異なる第４の位置との間を変位する第２の磁石と、
前記第１の磁石と前記第２の磁石との間に設けられ、前記第１の磁石と前記第２の磁石との合成磁界の向きに応じた信号を出力する磁気センサと、を備え、
前記磁気センサにおいて、前記第１の位置に位置する前記第１の磁石、前記第２の位置に位置する前記第１の磁石、前記第３の位置に位置する前記第２の磁石、及び前記第４の位置に位置する前記第２の磁石がそれぞれ形成する磁界の向きが全て異なる磁気式位置検出装置。
【請求項２】
請求項１に記載の磁気式位置検出装置において、
前記第１及び第２の磁石は、同一の回転軸上に位置するとともに、その回転軸を中心に第１の位置と第２の位置との間、及び第３の位置と第４の位置との間を回転変位し、回転方向において着磁されるものであって、
前記磁気センサは、前記回転軸上に設けられる磁気式位置検出装置。
【請求項３】
請求項１に記載の磁気式位置検出装置において、
前記第１の磁石は、回転軸を中心に回転変位し、回転方向において着磁され、
前記第２の磁石は、前記回転軸と交わる方向に変位して前記回転軸を間に挟む位置関係にある前記第３の位置と前記第４の位置との間を移動するとともに、前記回転軸方向において着磁されるものであって、
前記磁気センサは、前記回転軸上に設けられる磁気式位置検出装置。
【請求項４】
請求項２又は３に記載の磁気式位置検出装置において、
前記第１の磁石は、回転方向に多極着磁されている磁気式位置検出装置。
【請求項５】
請求項１〜４のうちいずれか一項に記載の磁気式位置検出装置において、
前記第１及び第２の磁石の少なくとも一方がプラスチック磁石であって、
前記プラスチック磁石の外周部は、前記磁気センサの外周を覆うように対向する磁石に向かって湾曲する磁気式位置検出装置。
【発明の詳細な説明】
【技術分野】
【０００１】
本発明は、磁気式位置検出装置に関する。
【背景技術】
【０００２】
従来、特許文献１に示される磁気式位置検出装置がある。この磁気式位置検出装置は、車両の前後方向に操作されるセレクトレバーに取り付けられるマグネットと、セレクトレバーに対して独立して設けられ、磁界の向きに応じた電圧を出力する磁気センサと、を備えている。
【０００３】
この磁気式位置検出装置では、セレクトレバーが操作されると、マグネットが移動するので、当該マグネットと磁気センサとの相対位置が変化する。すなわち、磁気センサにおける磁界の向きが変化するので、当該磁気センサが出力する電圧が変化する。従って、磁気センサが出力する電圧に基づいて、セレクトレバーの位置を検出することができる。
【先行技術文献】
【特許文献】
【０００４】
【特許文献１】特開２００９−２３６７４３号公報
【発明の概要】
【発明が解決しようとする課題】
【０００５】
特許文献１のような磁気式位置検出装置では、検出対象が２つある場合、それぞれの検出対象に対してマグネット及び磁気センサを備える必要がある。
ところで、２つの検出対象が近接している場合、それぞれの検出対象に対して設けられるマグネットが、互いに他方の検出対象に対して設けられる磁気センサにおける磁界の向きに影響を及ぼすおそれがある。そこで、このような場合には、それぞれの検出対象に対して設けられるマグネットと互いに他方の検出対象に対して設けられる磁気センサとの間に磁気的な影響を遮断する遮蔽板を挿入することが考えられている。このように構成すれば、それぞれの検出対象に対して設けられるマグネットが、他方の検出対象に対して設けられる磁気センサにおける磁界の向きに影響を及ぼさない。
【０００６】
しかしながら、遮蔽板を設けると磁気式検出装置の部品点数が増加するため、当該装置の組付工数の増加が懸念されている。
本発明は、こうした実状に鑑みてなされたものであり、その目的は、部品点数が少なく２つの検出対象の位置を検出することができる磁気式検出装置を提供することにある。
【課題を解決するための手段】
【０００７】
上記課題を解決するために、磁気式位置検出装置は、第１の位置と前記第１の位置と異なる第２の位置との間を変位する第１の磁石と、前記第１及び第２の位置と異なる第３の位置と前記第１〜第３のいずれの位置とも異なる第４の位置との間を変位する第２の磁石と、前記第１の磁石と前記第２の磁石との間に設けられ、前記第１の磁石と前記第２の磁石との合成磁界の向きに応じた信号を出力する磁気センサと、を備え、前記磁気センサにおいて、前記第１の位置に位置する前記第１の磁石、前記第２の位置に位置する前記第１の磁石、前記第３の位置に位置する前記第２の磁石、及び前記第４の位置に位置する前記第２の磁石がそれぞれ形成する磁界の向きが全て異なることを要旨とする。
【０００８】
この構成によれば、第１の磁石が第１の位置に第２の磁石が第３の位置にそれぞれ位置するとき、第１の磁石が第１の位置に第２の磁石が第４の位置にそれぞれ位置するとき、第１の磁石が第２の位置に第２の磁石が第３の位置にそれぞれ位置するとき、及び第１の磁石が第２の位置に第２の磁石が第４の位置にそれぞれ位置するときの磁気センサにおける合成磁界の向きが全て異なる。このため、磁気センサが出力する信号から、第１及び第２の磁石がそれぞれどの位置に位置するかを判定することができる。これにより、従来のように遮蔽板等が必要ないので、磁気式位置検出装置を構成する部品点数を抑制することができる。
【０００９】
上記構成において、前記第１及び第２の磁石は、同一の回転軸上に位置するとともに、その回転軸を中心に第１の位置と第２の位置との間、及び第３の位置と第４の位置との間を回転変位し、回転方向において着磁されるものであって、前記磁気センサは、前記回転軸上に設けられることが好ましい。
【００１０】
この構成によれば、磁気センサは、磁気センサと第１の磁石との間の距離、及び磁気センサと第２の磁石との間の距離が変化しない状態で第１及び第２の磁石に挟まれているので、外乱磁場の影響を受けにくい。従って、磁気センサが出力する信号から、第１及び第２の磁石がそれぞれどの位置に位置するかをより正確に判定することができる。
【００１１】
上記構成において、前記第１の磁石は、回転軸を中心に回転変位し、回転方向において着磁され、前記第２の磁石は、前記回転軸と交わる方向に変位して前記回転軸を間に挟む位置関係にある前記第３の位置と前記第４の位置との間を移動するとともに、前記回転軸方向において着磁されるものであって、前記磁気センサは、前記回転軸上に設けられることが好ましい。
【００１２】
この構成によれば、第２の磁石の中心が回転軸を越えるとき第２の磁石が磁気センサにおいて形成する磁界の向きが逆転する。これにより、第１及び第２の磁石が磁気センサにおいて形成する合成磁界の向きが大きく変化するので、磁気センサが出力する信号から、第１及び第２の磁石がそれぞれどの位置に位置するかをより正確に判定することができる。
【００１３】
上記構成において、前記第１の磁石は、回転方向に多極着磁されていることが好ましい。
この構成によれば、小さい角度を回転させるだけで第１の磁石が磁気センサにおいて形成する磁界の向きを大きく変化させることができる。
【００１４】
上記構成において、前記第１及び第２の磁石の少なくとも一方がプラスチック磁石であって、前記プラスチック磁石の外周部は、前記磁気センサの外周を覆うように対向する磁石に向かって湾曲することが好ましい。
【００１５】
この構成によれば、第１の磁石と第２の磁石との間の距離が小さくなるので、これらの間に設けられる磁気センサが外乱磁場の影響を受けにくい。
【発明の効果】
【００１６】
本発明の磁気式検出装置によれば、２つの検出対象の位置を検出することができる。しかも、構成する部品点数が少ない。
【図面の簡単な説明】
【００１７】
【図１】レバー装置の平面図。
【図２】第１の磁石、第２の磁石、及びセンサチップの位置関係を示す斜視図。
【図３】第１の磁石が第１の位置及び第２の位置にそれぞれ位置するとき、及び第２の磁石が第３の位置及び第４の位置にそれぞれ位置するときに、センサチップにおいて形成する磁界の向きを示す対応図。
【図４】第１の磁石の位置、第２の磁石の位置、合成磁界の向き、第１の磁気抵抗素子の出力電圧、及び第２の磁気抵抗素子の出力電圧を対応付けた対応図。
【図５】第１及び第２の磁気抵抗素子が出力する電圧波形。
【図６】レバー装置の変形例を示す斜視図。
【図７】図６における磁石とセンサチップとの位置関係を示す平面図。
【図８】磁石の変形例を示す斜視図。
【図９】磁石の変形例を示す平面図。
【発明を実施するための形態】
【００１８】
以下、磁気式検出装置をレバー装置に具体化した一実施形態を図面に従って説明する。
＜レバー装置＞
図１に示すように、レバー装置１は、ケース２の下面に回転可能に軸支される第１のレバー１０と、ケース２の上面に回転可能に軸支される第２のレバー２０と、ケース２の内部に収容される基板３と、を備えている。基板３は、外部の演算処理部４に電気的に接続されている。
【００１９】
第１及び第２のレバー１０，２０は、ともに回転軸Ｏを中心に回転する。図１において６時の位置を０°とするとともに、時計方向を正方向とする場合、第１のレバー１０は図１に実線で示す０°の位置と図１に２点鎖線で示す１８０°との間を９０°の位置を含むように回転変位する。また、第２のレバー２０は図１に２点鎖線で示す４５°の位置と図１に実線で示す１３５°の位置との間を９０°の位置を含むように回転変位する。
【００２０】
第１のレバー１０のケース２側の面には、図２に示す第１の磁石１１が、第２のレバー２０のケース２側の面には図２に示す第２の磁石２１が、それぞれ設けられている。また、基板３の第１のレバー１０側の面には図２に示すセンサチップ５が設けられている。
【００２１】
図２に示すように、第１の磁石１１、第２の磁石２１、及びセンサチップ５は、すべて回転軸Ｏ上に位置する。すなわち、センサチップ５は、回転軸Ｏの軸方向において、第１の磁石１１と第２の磁石２１との間に挟まれている。また、センサチップ５と第１の磁石１１との間の距離、及びセンサチップ５と第２の磁石２１との間の距離は、等しく設定されている。
【００２２】
第１の磁石１１は、回転方向に一対のＮ極とＳ極とが着磁されている。この第１の磁石１１は、第１のレバー１０が０°に位置する状態の第１の位置と、第１のレバー１０が１８０°に位置する状態の第２の位置との間で変位する。図３に示すように、第１の位置における第１の磁石１１はセンサチップ５における磁界の向きが０°となる磁界を、第２の位置における第１の磁石１１は、センサチップ５における磁界の向きが１８０°となる磁界を、それぞれ形成する。
【００２３】
第２の磁石２１は、第１の磁石１１と同様に回転方向に一対のＮ極とＳ極とが着磁されている。第２の磁石２１は、第１の磁石１１と等しい強さの磁界を形成する。第２の磁石２１は、第２のレバー２０が４５°に位置する状態の第３の位置と、第２のレバー２０が１３５°に位置する状態の第４の位置との間で変位する。図３に示すように、第３の位置における第２の磁石２１はセンサチップ５における磁界の向きが４５°となる磁界を、第４の位置における第２の磁石２１はセンサチップ５における磁界の向きが１３５°となる磁界を、それぞれ形成する。
【００２４】
センサチップ５は、磁気抵抗効果を利用して自身における磁界の向き、すなわち第１の磁石１１と第２の磁石２１とが協働して形成する磁界の向きに応じた電圧を生成する第１及び第２の磁気抵抗素子６，７とを備えている。第２の磁気抵抗素子７は、第１の磁気抵抗素子６を回転軸Ｏと同方向に延びる中心軸に対して４５°だけ回転させたものである。第１及び第２の磁気抵抗素子６，７は、回転軸Ｏに対して直交する方向に並設されている。なお、センサチップ５が磁気センサに相当する。
【００２５】
基板３は、センサチップ５において生成される電圧、すなわち、第１及び第２の磁気抵抗素子６，７が生成する電圧を演算処理部４に送る。
図１に示すように、演算処理部４は、メモリ４ａを備えている。メモリ４ａには、図４に示すように、第１及び第２の磁石１１，２１の位置と第１及び第２の磁気抵抗素子６，７の電圧との対応情報８が記憶されている。演算処理部４は、第１及び第２の磁気抵抗素子６，７が出力する電圧を対応情報８に照らし合わせることにより第１及び第２の磁石１１，２１の位置を判断する。
【００２６】
＜レバー装置の作用＞
第１及び第２の磁気抵抗素子６，７は、回転軸Ｏに対して直交する方向に並設されている。また、第２の磁気抵抗素子７は、第１の磁気抵抗素子６を回転軸Ｏと同方向に延びる中心軸に対して４５°だけ回転させたものである。従って、図５に示すように、第１及び第２の磁気抵抗素子６，７が出力する電圧の波形は、４５°分だけずれる。このため、第１及び第２の磁気抵抗素子６，７が出力する電圧から、第１及び第２の磁石１１，２１におけるそれぞれの位置を判断することができる。例えば、第１及び第２の磁気抵抗素子６，７が出力する電圧がともに電圧Ｖ１である場合には、第１の磁石１１は第１の位置に、第２の磁石２１は第３の位置に、それぞれ位置することを判断することができる。また、第１の磁気抵抗素子６が出力する電圧が電圧Ｖ１、第２の磁気抵抗素子７が出力する電圧が電圧Ｖ２である場合には、第１の磁石１１は第１の位置に、第２の磁石２１は第４の位置に、それぞれ位置することを判断することができる。
【００２７】
なお、第１及び第２の磁石１１，２１は、回転軸Ｏ上において回転軸Ｏ回りを回転するので、センサチップ５と第１の磁石１１との間の距離、及びセンサチップ５と第２の間の距離が変化しない。このため、外乱磁場の影響を受けにくい。
【００２８】
以上詳述したように、本実施形態によれば、以下に示す効果が得られる。
（１）回転軸Ｏ上に設けられ同回転軸Ｏ回りを回転する第１の磁石１１と第２の磁石２１との間に、第１及び第２の磁気抵抗素子６，７を備えるセンサチップ５を設けた。そして、第２の磁気抵抗素子７は、第１の磁気抵抗素子６を回転軸Ｏと同方向に延びる中心軸に対して４５°だけ回転させたものとした。また、第１及び第２の磁気抵抗素子６，７を、回転軸Ｏに対して直交する方向に並設させた。これにより、第１及び第２の磁気抵抗素子６，７が出力する電圧の波形は、４５°分だけずれる。このため、第１及び第２の磁気抵抗素子６，７が出力する電圧から、第１及び第２の磁石１１，２１におけるそれぞれの位置を判断することができる。このように、従来、２つの磁石の位置をそれぞれ検出するために必要と考えられていた２つの磁気抵抗素子の間に挿入する遮蔽板が必要ないので、レバー装置１を構成する部品点数を抑制することができる。
【００２９】
（２）また、第１及び第２の磁石１１，２１は、回転軸Ｏ上において回転軸Ｏ回りを回転するので、センサチップ５と第１の磁石１１との間の距離、及びセンサチップ５と第２の間の距離が変化しない。このため、外乱磁場の影響を受けにくい。従って、第１及び第２の磁気抵抗素子６，７が出力する電圧から、第１及び第２の磁石１１，２１がそれぞれどの位置に位置するかをより正確に判定することができる。
【００３０】
なお、上記実施形態は、以下のように変更してもよい。
・上記実施形態において、第１及び第２の磁石１１，２１は、回転することによって第１の位置と第２の位置との間、又は第３の位置と第４の位置との間を変位したが、直線変位してもよい。
【００３１】
例えば、図６に示すように、第２の磁石２１を回転軸Ｏ上に設け当該回転軸Ｏ回りに回転変位するように、第３の磁石３１を回転軸Ｏを挟む２つの位置Ａ，Ｂの間を直線変位するように、それぞれ構成する。なお、第３の磁石３１は、回転軸Ｏ方向に着磁されているものとする。また、センサチップ５は、第３の磁石３１と第２の磁石２１との間に位置するようにする。
【００３２】
このように構成した場合、図７において実線で示すように位置Ａにあるときに第３の磁石３１がセンサチップ５において形成する磁界の向きと、図７において破線で示すように位置Ｂにあるときに第３の磁石３１がセンサチップ５において形成する磁界の向きとが逆転する。このように、第３の磁石３１が位置Ａと位置Ｂとの間を変位すると、センサチップ５における磁界の向き、ひいては第２の磁石２１と第３の磁石３１とが協働で形成する合成磁界の向きが大きく変化するので、センサチップ５が出力する電圧から第２及び第３の磁石２１，３１がそれぞれどの位置に位置するかを正確に判定することができる。
【００３３】
なお、位置Ａと位置Ｂとが回転軸Ｏを挟む位置関係になくても、回転軸Ｏと位置Ａとの間の距離が回転軸Ｏと位置Ｂとの間の距離と異なっていれば、位置Ａの第３の磁石３１がセンサチップ５において形成する磁界の強さと、位置Ｂの第３の磁石３１がセンサチップ５において形成する磁界の強さとが異なる。従って、第３の磁石３１が位置Ａにあるときと位置Ｂにあるときとでは、第３の磁石３１と第２の磁石２１とが協働で形成する合成磁界の向きが異なるので、第２及び第３の磁石２１，３１がそれぞれどの位置に位置するかを判定することができる。
【００３４】
・上記実施形態において、第１及び第２の磁石１１，２１は、回転方向に一対のＮ極とＳ極とを有していたが、図８に示すように、回転方向にＮ極とＳ極とが交互に複数個連続するいわゆる多極磁石４１であってもよい。多極磁石４１であれば、回転角度が小さくても、センサチップに形成する磁界の向きを大きく変化させることができる。
【００３５】
・上記実施形態において、第１及び第２の磁石１１，２１に代えて、プラスチック磁石５１，６１を採用してもよい。この場合、図９に示すように、プラスチック磁石５１，６１をお椀型に成形し、プラスチック磁石５１，６１の外周部がセンサチップ５の周囲を覆うようにする。このように構成すれば、プラスチック磁石５１，６１との間の距離が近くなるので、これらの間に設けられるセンサチップ５が外乱磁場の影響を受けにくくなる。ひいては、より正確にプラスチック磁石５１，６１の位置を判定することができる。なお、この効果は、プラスチック磁石５１，６１の外周部が近接すればするほど大きくなる。
【００３６】
・上記実施形態において、第１及び第２の磁石１１，２１は、直接回転操作される第１及び第２のレバー１０，２０にそれぞれ設けられたが、例えば図６に第２の磁石２１が設けられるギア７１のように回転操作されるレバー７０に連動して回転するものにも設けられてもよい。
【００３７】
・上記実施形態及び上記別例において、センサチップ５における合成磁界の向きが異なれば、２つの磁石の変位態様は、それぞれ任意に設定できる。すなわち、上記実施形態のように２つの磁石がともに回転変位するだけでなく、上記別例のように一方の磁石が回転変位し他方の磁石が直線変位してもよいし、２つの磁石がともに直線変位してもよい。
【００３８】
・上記実施形態において、第１及び第２の磁気抵抗素子６，７は、４５°ずれていたが、４５°に限らず出力する電圧波形が異なるように角度をずらして配置されていればよい。
【００３９】
・上記実施形態において、センサチップ５は、センサチップ５と第１の磁石１１との間の距離と、センサチップ５と第２の磁石２１との間の距離とが等しくなるように設けられたが等しくなくてもよい。第１及び第２の磁石１１，２１のどちらか一方が変位したとき、センサチップ５における合成磁界の向きが変化する位置であればよい。
【００４０】
・上記実施形態において、第１の磁石１１、第２の磁石２１、及びセンサチップ５は同軸上とされたが、同軸とされてなくてもよい。
・上記実施形態のレバー装置１の適用先としては、例えば、車両の前照灯の明るさを変更する回転操作部付きの方向指示レバー等がある。
【符号の説明】
【００４１】
１…レバー装置、２…ケース、３…基板、４…演算処理部、４ａ…メモリ、５…センサチップ、６，７…磁気抵抗素子、８…対応情報、１０，２０，７０…レバー、１１，２１，３１…磁石、４１…多極磁石、５１，６１…プラスチック磁石、７１…ギア。
【図１】
2015052556.tif 000003
【図２】
2015052556.tif 000004
【図３】
2015052556.tif 000005
【図４】
2015052556.tif 000006
【図５】
2015052556.tif 000007
【図６】
2015052556.tif 000008
【図７】
2015052556.tif 000009
【図８】
2015052556.tif 000010
【図９】
2015052556.tif 000011